(57)【要約】【課題】  紙の微細繊維や製紙スラッジを使用して、安価で、無害で、作業効率もよく、さらに使用後の処分も容易な雑草抑制剤を提供する。【解決手段】  紙の微細繊維又は製紙スラッジを水に分散させたものであり、地面に散布すると水分が地中にしみこみ、固形分が地面を覆って固化することを特徴とする雑草抑制剤を得る。【特許請求の範囲】
【請求項１】
紙の微細繊維又は製紙スラッジを水に分散させたものであり、地面に散布すると水分が地中にしみこみ、固形分が地面を覆って固化することを特徴とする雑草抑制剤。
【請求項２】
紙の微細繊維と製紙スラッジに対し紙又はパルプを乾燥重量で１０００％以下の範囲で併用する請求項１の雑草抑制剤。
【発明の詳細な説明】
【技術分野】
【０００１】  本発明は、雑草抑制剤に関する。
【背景技術】
【０００２】  農地、公園、道路などの雑草抑制のため、除草剤などの農薬が使用されているが、人体と自然環境に悪影響を与え問題である。【０００３】  薬剤によらず、物理的に雑草の生育を妨げる方法として、防草シートがある。これは、ビニールなどのシートを地面に覆うもので、農業用として広く利用されている。しかしビニールは、使用後も残存し処理が難しく、問題となっている。【０００４】  防草シートの中で、紙を素材としたものがある。これは、ビニールを素材としたものに比べ処分が容易である。しかし、値段が高く、また地面にシートを装着するのに手間がかかるといる問題がある。【０００５】  一方、製紙業界では、製紙スラッジが大量に排出されている。製紙スラッジは、あまり有効利用されておらず、大部分が埋め立てごみとして廃棄されているのが現状である。
【発明の開示】
【発明が解決しようとする課題】
【０００６】  本発明は、紙の微細繊維や製紙スラッジを使用して、安価で、無害で、作業効率もよく、さらに使用後の処分も容易な雑草抑制剤を提供することを目的とする。
【課題を解決するための手段】
【０００７】  本発明者は鋭意研究により、紙の微細繊維や製紙スラッジを水に分散させたものを地面に散布すると、水分だけが水にしみこみ、固形分は地表に残り、ちょうど紙をすいたときのように地表に残り、シート状に地面を覆うことを見出した。さらに、それは、地表で固化して雑草の育成を効果的に防止することを見出した。【０００８】  すなわち、本発明は、紙の微細繊維又は製紙スラッジを水に分散させたものであり、地面に散布すると水分が地中にしみこみ、固形分が地面を覆って固化することを特徴とする雑草抑制剤である。【０００９】  本発明で使用される紙の微細繊維とは、繊維長が短く紙にすることが技術的に困難なすべての紙の繊維を言うが、特に、製紙工場の抄紙工程で紙中にとどまることができず水とともに排出された、製紙スラッジになる前段階のものが好ましい。これは、排水中に低濃度で分散しており、凝集剤の使用によって沈降、凝集して製紙スラッジになる。【００１０】  本発明の雑草抑制剤は、紙の微細繊維を水中に分散させたものであるから、従来の紙の微細繊維を凝集して製紙スラッジにしてしまう工程に替えて排水中の紙の微細繊維濃度を高くするだけで容易に製造できる。かかる方法として、例えば、凝集剤を製紙スラッジにする場合よりも少量使用して、紙の微細繊維を沈降させ上澄みの水分を除去すると良い。この方法によれば、紙の微細繊維の沈降した部分は、適切な濃度で水に分散した状態になる。【００１１】  本発明では、製紙スラッジを原料として使用することもできる。
本発明で使用される製紙スラッジは、製紙工程で排出する紙の微細繊維を凝集させたものである。かかる製紙スラッジは、紙の微細繊維が主成分であるが、それ以外に、紙の填料として使用される白土、タルク、炭酸カルシウムなどの無機顔料、硫酸アルミニウムなどの無機系凝集剤、アクリルアマイドなどの有機系凝集剤を含有していても良い。かかる無機顔料や無機系凝集剤は、本発明の雑草抑制剤と土とのなじみを良くする。また、有機系凝集剤は、雑草抑制剤の強度を向上させる。【００１２】  製紙スラッジは、工場で作られる最初の段階では多量の水を含んでいるが、産業廃棄物として出すために、脱水し、さらに乾燥させなければならない。しかし、本発明では製紙スラッジは再び水に戻し分散させるものであるから、多量の水を含有した状態で差し支えない。したがって、脱水、乾燥など、従来産業廃棄物処理のためにかかっていた余分の処理コストは、本発明により一切不要となるので、その分、さらにコストの低減につながる。【００１３】  本発明において、紙の微細繊維又は製紙スラッジを原料として使用する場合、かかる原料を０．２〜４０％、好ましくは２〜２０％の濃度になるように水に分散させる。尚、ここで言う濃度は、雑草抑制剤全体の重量に対する原料の乾燥重量％である。濃度が０．２％を下回ると、水分量が多すぎて作業性が悪くなり好ましくない。また、濃度が４０％を上回ると、雑草抑制剤が液状を維持しにくく散布が困難となり好ましくない。【００１４】  製紙スラッジが凝集剤を多く含有していると、水に戻しても沈降しやすく均一に分散しにくい。その場合は、紙の微細繊維、紙又はパルプを併用すると良い。沈降していた製紙スラッジは、併用した紙の繊維に引き上げられ均一に分散するようになる。紙又はパルプを併用する場合には、紙の微細繊維と製紙スラッジに対して、紙又はパルプを乾燥重量で１０００％以下の範囲にするのが好ましい。紙又はパルプの使用量は１０００％以下で効果は十分であり、１０００％を超えて使用してもコスト高になるだけである。【００１５】  本発明において、紙の微細繊維、製紙スラッジ、紙又はパルプを併用したものを原料として使用する場合、かかる原料を０．２〜４０％、好ましくは２〜２０％の濃度になるように水に分散させる。尚、ここで言う濃度とは、雑草抑制剤全体の重量に対する原料の乾燥重量％である。濃度が０．２％を下回ると、水分量が多すぎて作業性が悪くなり好ましくない。また、濃度が４０％を上回ると、雑草抑制剤が液状を維持しにくく散布が困難となり好ましくない。【００１６】    本発明の雑草抑制剤は、耐水性を向上するために、製紙工業で使用されるサイズ剤を添加しても良い。サイズ剤は、紙に耐水性を付与するためのもので、ロジン、ゼラチン、でんぷんなどが一般的であるが、それ以外で無害なあらゆる薬剤を使用できる。【００１７】  次に、本発明の雑草抑制剤の使用方法を説明する。
本発明の雑草抑制剤の使用方法はきわめて簡単で、手で或いは機械で地面に散布するだけでよい。散布量は、特に限定しないが、一応の目安としては地面が見えなくなる程度である。散布後は、放置して、水分が地面に吸収され、表面に残った固形分が自然乾燥して固化すれば完成である。【００１８】  本発明の雑草抑制剤の使用場所は、雑草の生えるあらゆる土地が対象となるが、農地が好ましく、畑が特に好ましい。畑における好ましい使用方法は、栽培する農作物の周りを取り巻くように散布する。【００１９】    本発明の雑草抑制剤を土地に散布すると、水分だけが地中にしみこんで固形分は地表に残り紙をすいたときのように地表に残り、シート状に地面を覆う。紙スキの場合と異なるのは、紙スキでは下に落ちてしまう微細繊維が、地面の場合だと地中に埋まらず地表に残るのである。【００２０】  本発明の雑草抑制剤は、使用する土地の形状に合わせて密着して結合するので、紙製の防草シートのように剥がれる心配は無い。また、補助具などで固定する必要も無い。【００２１】  本発明の雑草抑制剤は、使用後の処分が容易である。特に、農業用で使用する場合、農作物の収穫後は、土と一緒に鋤いてやれば崩壊して土と同化する。
【発明の効果】
【００２２】
【００２３】  本発明によれば次のような効果がある。
（１）本発明の雑草抑制剤は、原料が製紙工場で排出される紙の微細繊維や製紙スラッジなので安価である。
（２）本発明の雑草抑制剤は、人体、自然環境に無害である。
（３）本発明の雑草抑制剤は、作業が容易である。
（４）本発明の雑草抑制剤は、地面に良く接合し剥がれる心配が無い。
（５）本発明の雑草抑制剤は、使用後は、土とともに鋤くと崩壊して土に同化する。
【本発明を実施するための最良の形態】
【００２４】  次に実施例により本発明をさらに詳しく説明する。
【００２５】実施例１
製紙工場の抄紙工程で排出された紙の微細繊維を含む排水を水槽に入れ、排水に対して５０ｐｐｍのアクリルアマイドを凝集剤として添加した。この添加量は製紙スラッジを作る際の一般的な添加量の１割以下である。
紙の微細繊維は、沈降したが凝集するにはいたらず、水槽の下部で水に分散した状態でとどまった。水槽上部の上澄みの水を除去して、本発明の雑草抑制剤を得た。この雑草抑制剤の濃度は、４％であった。
次に、この雑草抑制剤を、晴れた日に、畑に１ｍ２の面積にわたり地面の色が見えなくなるまで散布した。この雑草抑制剤の水分は速やかに地面に吸収され、２０分後には湿ったシート状の固形分が地面を覆った。翌日、この雑草抑制剤は、自然乾燥して固化した。
散布から２ヵ月後、この雑草抑制剤を散布した場所は雑草が生えていなかった。それに対し、この雑草抑制剤を散布しなかった場所は雑草が生い茂っていた。
その後、鍬でこの雑草抑制剤を土と一緒に鋤いた所、雑草抑制剤は崩壊して土と同化した。
【００２６】実施例２
含水率９０％（固形分１００重量部に対して水を９０重量部含有する）の未乾燥の製紙スラッジ１９０重量部と、古紙を解繊し４％の濃度で水に分散させたもの５０００重量部（古紙２００重量部、水４８００重量部含有する）とをよく混合して、本発明の雑草抑制剤を得た。この雑草抑制剤の濃度は、６％であった。
次に、この雑草抑制剤を、晴れた日に、畑に１ｍ２の面積にわたり地面の色が見えなくなるまで散布した。この雑草抑制剤の水分は速やかに地面に吸収され、２０分後には湿ったシート状の固形分が地面を覆った。翌日、この雑草抑制剤は、自然乾燥して固化した。
散布から２ヵ月後、この雑草抑制剤を散布した場所は雑草が生えていなかった。それに対し、この雑草抑制剤を散布しなかった場所は雑草が生い茂っていた。
その後、鍬でこの雑草抑制剤を土と一緒に鋤いた所、雑草抑制剤は崩壊して土と同化した。